(57)【特許請求の範囲】
【請求項１】
テント本体全体を二重構造の膜間にエアを吹き込んで一度に膨張可能にすると共に、エアを排気して一度に収縮可能な構造の仮設撤去可能な構成にし、かつエアを常時送風することにより該テント本体の立体構造を維持するようにし、前記テント本体に入口と出口を設け、該テント本体の内部に前記入口から出口に向けて脱衣ゾーン、除染ゾーン、着衣ゾーンを順に配列し、隣接し合うゾーン間に通抜け自在な仕切りとして扉用のカーテンを設けると共に、前記除染ゾーンに洗浄シャワー装置を装備し、前記除染ゾーンの床を高床パネルにし、かつ少なくとも前記除染ゾーンの底部に廃液貯留部としてドレンパン状に形成されたグランドシートを敷設し、さらに該廃液貯留部から廃液を汲みだすポンプを設けた除染設備。
【請求項２】
前記テント本体内部を中仕切りで複数列に分割し、分割された各列にそれぞれ前記脱衣ゾーン、除染ゾーン、着衣ゾーンを順に配列した請求項１に記載の除染設備。
【請求項３】
前記洗浄シャワー装置として前段に洗浄用のシャワーヘッドを、後段にリンス用のシャワーヘッドを設けた請求項１又は２に記載の除染設備。
【発明の詳細な説明】
【０００１】
【発明の属する技術分野】
本発明は除染設備に関し、更に詳しくは、突然のＮＢＣ災害（ニュークリア、バイオ、ケミカル災害）で発生した多数の被災者の除染のため緊急的に簡単に設営可能にした除染設備に関する。
【０００２】
【従来の技術】
例えば、ＮＢＣ災害として化学災害が突然発生し、毒ガス等の有害物質が放出することにより多数の人が汚染された場合、それら被災者は治療のために病院等の医療機関に押し寄せることになる。しかし、有害物質に汚染された被災者が、そのまま病院に直接入り込むと、被災者の衣服や人体に付着していた有害物質が持ち込まれるため、病院内にいた非汚染者や医療関係者までが二次汚染されて、さらに被害が増大することになる。
【０００３】
そのため、このような二次汚染を未然に防止する安全対策が強く求められている。
【０００４】
【発明が解決しようとする課題】
本発明の目的は、ＮＢＣ災害等で有害物質に汚染された被災者が多数発生した場合、被災現場や医療機関の入口等に緊急的に設営して除染を可能にする除染設備を提供することにある。
【０００５】
【課題を解決するための手段】
上記目的を達成する本発明の除染設備は、テント本体全体を二重構造の膜間にエアを吹き込んで一度に膨張可能にすると共に、エアを排気して一度に収縮可能な構造の仮設撤去可能な構成にし、かつエアを常時送風することにより該テント本体の立体構造を維持するようにし、前記テント本体に入口と出口を設け、該テント本体の内部に前記入口から出口に向けて脱衣ゾーン、除染ゾーン、着衣ゾーンを順に配列し、隣接し合うゾーン間に通抜け自在な仕切りとして扉用のカーテンを設けると共に、前記除染ゾーンに洗浄シャワー装置を装備し、前記除染ゾーンの床を高床パネルにし、かつ少なくとも前記除染ゾーンの底部に廃液貯留部としてドレンパン状に形成されたグランドシートを敷設し、さらに該廃液貯留部から廃液を汲みだすポンプを設けたことを特徴とするものである。
【０００６】
このように仮設撤去が容易なテント本体を構造要部にしているため、短時間に設営することが可能である。また、テント本体の内部には、入口から出口に沿って脱衣ゾーン、除染ゾーン、着衣ゾーンを順に配置しているため、これを被災現場近くや医療機関の入口、或いは医療機関に向かう途中に仮設すれば、有害物質に汚染された被災者は、その流れに沿って脱衣ゾーンで汚染衣服を脱ぎ、除染ゾーンで身体を洗い、着衣ゾーンで非汚染衣服を付けることで、除染された状態になってから医療機関に入ることができるので、二次汚染を防止することができる。また、仮設撤去可能なテント方式であるから、用済み後は容易に撤去することができる。
【０００７】
【発明の実施の形態】
以下、本発明を図１，２に示す実施形態を参照して説明する。
【０００８】
本発明の除染設備１は、仮設撤去が容易なテント本体２を主たる構造体としている。図示の例では、テント本体２は外膜２o と内膜２i を有する二重膜構造からなり、その二重膜構造の外膜２o と内膜２i との空間に送風機６からエアを吹き込むと、数分間内にドーム状の立体構造にすることができ、かつエアを抜けば簡単に折り畳み可能になる。また、ドーム状の立体構造は、送風機６からエアを常時送風することにより、風雨が強い場合でも立体を維持可能な強固な構成にすることができる。
【０００９】
上記テント本体２は、内部の幅方向中央に長手方向に延長する中仕切り１２が設けられ、空間が左右に２分されている。この左右二つの独立空間に、それぞれ前後に入口６Ａ，６Ｂと出口９Ａ，９Ｂが形成され、かつそれぞれに扉用のカーテン１０Ａ，１０Ｂ及び１１Ａ，１１Ｂが設けられている。
【００１０】
このように中仕切り１２で区分された二つの空間は、一方を男性用除染経路として、入口６Ａから出口９Ａにかけて脱衣ゾーン３Ａ、除染ゾーン４Ａ、着衣ゾーン５Ａが順に配置され、また他方を女性用除染経路として、入口６Ｂから出口９Ｂにかけて脱衣ゾーン３Ｂ、除染ゾーン４Ｂ、着衣ゾーン５Ｂが順に配置されている。また、これら各ゾーン間には、それぞれカーテン７Ａ，７Ｂ及び８Ａ，８Ｂが間仕切りとして設けられている。これらカーテン７Ａ，７Ｂ及び８Ａ，８Ｂは、有害物質がゾーン間で移動しないように極力抑制しつつ、人の移動を許容するようになっている。
【００１１】
上記脱衣ゾーン３Ａ，３Ｂは、有害物質に汚染された被災者が最初に入る場所である。ここで、先ず被災者は汚染された衣服を脱ぎ捨てる。次の除染ゾーン４Ａ，４Ｂは、脱衣ゾーン３Ａ，３Ｂで裸になった被災者が、身体に付着した有害物質を洗い流す場所である。その洗浄用のシャワー装置として、複数のシャワーヘッド１３，１４が装備されている。この除染ゾーン４Ａ，４Ｂは、それぞれ前段を洗浄シャワー・ゾーン４Ａ1 ，４Ｂ1 とし、後段をリンスシャワー・ゾーン４Ａ2 ，４Ｂ2 としている。
【００１２】
洗浄シャワー・ゾーン４Ａ1 ，４Ｂ1 では、シャワーヘッド１３から温水等の洗浄液を噴射して、被災者の身体に付着した有害物質を洗い流す。洗浄液には、化学災害で有害物質が判明している場合には、その中和剤を混合したものが使用される。有害物質が判明していないときは、取り敢えず洗い落とすことが必要であるから温水等が使用される。さらに、後段のリンスシャワー・ゾーン４Ａ2 ，４Ｂ2 は、前段で使用した洗浄液で未だ有害物質を含んだ液が残存している場合があるので、それを完全に洗い流して元の非汚染状態にする。最後の着衣ゾーン５Ａ，５Ｂは、汚染されていない新しい衣服を着用する場所である。
【００１３】
上記脱衣ゾーン３Ａ，３Ｂには、必要により被災者の汚染状態を評価する測定手段を設置するとよい。このような評価測定手段を設置することにより、被災者が次の除染ゾーン４Ａ，４Ｂでどの程度除染すればよいかを知ることができる。また、必要により着衣ゾーン５Ａ，５Ｂにも、除染程度を再評価する測定手段を設置するとよい。この再評価測定手段により測定した結果、除染が不十分であれば、再び脱衣ゾーン３Ａ，３Ｂへ戻って、再除染することができる。
【００１４】
テント本体２の大きさは特に限定されないが、重症の被災者はストレッチャーＳで運び込まれることになるので、男性用除染経路及び女性用除染経路とも、歩行可能な被災者とストレッチャーＳとが共に使用できる程度のスペースを確保することが好ましい。例えば、各除染経路とも、その幅を約１２０cmまたはそれ以上にすることが好ましい。
【００１５】
除染ゾーン４Ａ，４Ｂは、上述したシャワーヘッド１３，１４を備えるほか、床を高床パネル２０にし、その下側に洗浄液の廃液貯留部となるグランドシート２５を敷設する。高床パネル２０には中仕切り１２側に複数のフレーム２１を立設し、その各フレーム２１にそれぞれシャワーヘッド１３，１４を取り付けている。各シャワーヘッド１３，１４は、それぞれ外部に設置した給湯設備２３にホースｈ１を介して接続され、３０〜３５℃の温水が供給されるようになっている。また、高床パネル２０には、テント本体２の内壁側に複数の手すり２４を立設し、自力歩行が不安定になった被災者が利用できるようになっている。
【００１６】
高床パネル２０の下側に敷設したグランドシート２５はドレンパン状に形成され、そこに有害物質が混合した洗浄廃液を貯留することにより、土壌汚染を防ぐようにしている。グランドシート２５に貯留された廃液はポンプ２６により汲上げられ、ホースｈ２を介して外部に設置した組立式水槽２７に回収されるようになっている。
【００１７】
脱衣ゾーン３Ａ，３Ｂ及び着衣ゾーン５Ａ，５Ｂには、除染ゾーン４Ａ，４Ｂの高床パネル２０への昇り降りを容易にするため、それぞれスロープパネル２８，２９が設けられている。また、着衣ゾーン５Ａ，５Ｂには、必要により温調機３０が設けられるようになっている。３１はその温調機３０の室外機である。温調機３０は冬季の暖房用としてだけでなく、除染ゾーン４Ａ，４Ｂから着衣ゾーン５Ａ，５Ｂ側へ流入しようとする有害ガスを阻止する役目をする。
【００１８】
また、各電動機器に対する電源は、近くの建物から融通するようにしてもよいが、発動発電機３２を付設することにより自給するようにしてもよい。
【００１９】
上述した図示の除染設備１は、テント本体２が送風機６によりエアを充填することにより短時間でドーム状の立体構造に設営できるので、突発的なＮＢＣ災害で多数の被災者が出たときであっても、その災害現場近く、医療施設に向かう途中、病院などの医療機関の入口などに簡単に直ぐに仮設することができる。また、被災者は、脱衣ゾーン３Ａ，３Ｂで有害物質で汚染された衣服を脱ぎ、除染ゾーン４Ａ，４Ｂで身体に付着した有害物質を洗い流し、或いは有害物質が判明しているときは中和処理し、更にリンスにより除染を確実にしたのち、着衣ゾーン５で非汚染の衣服を付けることができるので、二次汚染を防ぐことができる。
【００２０】
以上説明した実施形態では、主として化学災害の場合について説明したが、本発明はＮＢＣ災害（ニュークリア、バイオ、ケミカル災害）一般に適用することができる。
【００２１】
また、本発明において、テント本体としては、上述した実施形態のようにエア充填で立体状に仮設できる二重膜構造のものが用いられる。
【００２２】
また、実施形態では、テント本体の内部を中仕切りによって男性用除染通路と女性用除染通路とに２区分したが、必ずしも中仕切りを設けなくてもよい。中仕切りで区分しない場合は、コスト的には不利になるが、テント本体を男性被災者用と女性被災者用とにそれぞれ２基設置すればよい。
【００２３】
また、テント本体内部を複数の中仕切りにより２〜４列の複数列に区分し、各列を被災程度に応じて、軽症、中症、重症に応じて除染処理ができるようにしてもよい。すなわち、軽症であれば自力で除染処理ができるが、中症、重症になると、その程度によって介護者が必要な場合があるので、それら介護者が待機した除染経路も必要な場合がある。
【００２４】
除染ゾーンには、汚染物質の除去をより確実にするため、前段の除染液シャワー・ゾーンと、後段のリンスシャワー・ゾーンとを設ける場合を例示したが、洗浄シャワーだけで有害物質を十分洗い流せるようであれば、リンスシャワー・ゾーンは必ずしも設ける必要はない。
【００２５】
【発明の効果】
上述したように本発明によれば、仮設撤去が容易なテント本体を構造要部にしているため、短時間に設営することが可能である。また、テント本体の内部には、入口から出口に沿って脱衣ゾーン、除染ゾーン、着衣ゾーンを順に配置しているため、これを医療機関の入口に仮設すれば、有害物質に汚染された被災者は、その流れに沿って脱衣ゾーンで汚染衣服を脱ぎ、除染ゾーンで身体を洗い、着衣ゾーンで非汚染衣服を付けることで、予め除染された状態になって医療機関に入ることができるため、二次汚染を防止することができる。また、仮設撤去可能なテント方式であるから、用済み後は容易に撤去することができる。
【図面の簡単な説明】
【図１】本発明の実施形態からなる除染設備を一部切り欠いて示す斜視図である。
【図２】図１の除染設備を平面にして示す説明図である。
【符号の説明】
１  除染設備
２  テント本体
２o   外膜
２i   内膜
３Ａ，３Ｂ  脱衣ゾーン
４Ａ，４Ｂ  除染ゾーン
５Ａ，５Ｂ  着衣ゾーン
６Ａ，６Ｂ  入口
７Ａ，７Ｂ，８Ａ，８Ｂ  カーテン（仕切り）
９Ａ，９Ｂ  出口
１２  中仕切り
１３，１４  シャワーヘッド
【図１】
0005037756.tif 000002
【図２】
0005037756.tif 000003